【事件の表示】
　特願２０００−２３２０８８「印刷制御装置及びその制御方法並びに記憶媒体」拒絶査定不服審判事件〔平成１４年　２月　６日出願公開、特開２００２−　３６６６９〕について、次のとおり審決する。
【結　論】
　本件審判の請求は、成り立たない。
【理　由】
第１　手続の経緯
　本願は、平成１２年７月３１日付けの出願であって、平成１７年１０月２７日付けで通知した拒絶の理由に対して、同年１２月２７日付けで手続補正書が提出されたが、平成１８年８月１５日付けで拒絶査定がなされ、これに対して、同年９月２０日付けで審判請求がなされるとともに、同年１０月１９日付けで手続補正書が提出され、その後、当審の審尋に対する回答書が平成２０年１１月６日付けで提出されたものである。
　
第２　平成１８年１０月１９日付けの手続補正の却下の決定
　
［補正却下の決定の結論］
　平成１８年１０月１９日付けの手続補正（以下、「本件補正」という。）を却下する。
　
［理由］
１．補正後の本願補正
　本件補正には、特許請求の範囲の請求項１を次のように補正しようとする事項が含まれている。
　
　（補正前）
「【請求項１】印刷装置で印刷された印刷用紙をフィニッシャ装置で折り処理が実行されるように、前記印刷装置で印刷すべき印刷データを生成する印刷制御装置であって、
　前記印刷装置の属性と前記フィニッシャ装置の属性に従って、面順設定情報と紙順設定情報とを含む製本印刷の設定情報を取得する設定情報取得手段と、
　前記設定情報取得手段により取得される設定情報に基づき、前記印刷装置で印刷されるべき印刷面の順序を特定し、印刷データのページレイアウトを決定するページレイアウト決定手段と、
　前記ページレイアウト決定手段により決定されたページレイアウトに従って、印刷データを生成する生成手段とを有し、
　前記面順設定情報は、先に印刷する印刷面が前記折り処理により印刷用紙の内側と外側の何れに対応するかを指定する情報であり、
　前記紙順設定情報は、先に印刷する印刷用紙が前記折り処理により冊子の外側と内側の何れに対応するかを指定する情報であることを特徴とする印刷制御装置。」
　
（補正後）
　「【請求項１】印刷装置で印刷された印刷用紙をフィニッシャ装置で折り処理が実行されるように、前記印刷装置で印刷すべき印刷データを生成する印刷制御装置であって、
　前記印刷装置の属性と前記フィニッシャ装置の属性に従って分類される、面順設定情報と紙順設定情報とを含む製本印刷の設定情報を取得する設定情報取得手段と、
　前記設定情報取得手段により取得される製本印刷の設定情報に含まれる紙順設定情報に従って、前記印刷装置で印刷された印刷物を二つ折りした冊子の外側の紙から印刷されるか内側の紙から印刷されるかを特定し、更に、前記製本印刷の設定情報に含まれる面順設定情報に従って、該冊子の紙の内側の面から印刷されるか外側の面から印刷されるかを特定し、印刷データのページレイアウトを決定するページレイアウト決定手段と、
　前記ページレイアウト決定手段により決定されたページレイアウトに従って、印刷データを生成する生成手段とを有し、
　前記面順設定情報は、先に印刷する印刷面が前記折り処理により印刷用紙の内側と外側のいずれに対応するかを指定する情報であり、
　前記紙順設定情報は、先に印刷する印刷用紙が前記折り処理により冊子の外側と内側のいずれに対応するかを指定する情報であることを特徴とする印刷制御装置。」
　
　この補正事項は、請求項１において、補正前の「ページレイアウト決定手段」について、ページレイアウトの仕方に限定を付して、「前記設定情報取得手段により取得される
製本印刷の
に含まれる紙順設定情報に従って
た印刷物を二つ折りした冊子の外側の紙から印刷されるか内側の紙から印刷されるかを特定し、更に、前記製本印刷の設定情報に含まれる面順設定情報に従って、該冊子の紙の内側の面から印刷されるか外側の面から印刷されるか
　また、上記補正事項は、請求項１において、補正前の「設定情報取得手段」について、「分類される」との文言を付加して、「前記印刷装置の属性と前記フィニッシャ装置の属性に従って
分類される
　請求項１以外では、請求項３，４，５，７，８においても、本件補正により、発明特定事項について限定がなされている。
　したがって、本件補正は、平成１４年法律第２４号改正附則第２条第１項によりなお従前の例によるとされる同法による改正前の特許法第１７条の２第４項第２号の特許請求の範囲の減縮を目的としたものに該当する。
　
　そこで、本件補正後の請求項１に記載された発明（以下、「本願補正発明」という。）が特許出願の際独立して特許を受けることができるものであるかについて以下に検討する。
　
　
２．引用刊行物の記載事項
（１）刊行物１
　原査定の拒絶の理由に引用された、本願の出願前に頒布された特開平１１−３４８３７１号公報（以下、「刊行物１」という。）には、図面とともに次の事項が記載されている。なお、下線は当審で付した。
　
（１ａ）「【特許請求の範囲】
　【請求項１】  ページ記述言語で記述された印刷情報を生成する外部装置と、前記外部装置から入力した印刷情報を展開して画像データを生成する画像データ生成手段および該生成された画像データを格納する画像データ格納手段を有する画像形成装置と、前記画像形成装置から出力された転写材を束ねて綴じる綴じ処理装置とから構成され、前記画像形成装置で、前記画像データ格納手段から前記複数ページ分の画像データを読み出し、該読み出した複数ページ分の画像データを１枚の転写材上に配置して前記複数ページ分の画像データがそれぞれ示す画像を前記１枚の転写材に形成する画像配置形成処理を繰り返しながら該転写材を順に出力し、前記綴じ処理装置で前記画像系装置から出力された複数枚の転写材を綴じて製本化することにより製本印刷機能を実行する画像形成システムにおいて、前記画像形成装置は、異なる綴じ形態で前記画像が形成された複数枚の転写材を束ねて綴じる複数の綴じ処理手段に対して共通の装着構造を有し、該複数の綴じ処理手段の中から選択されて装着された１つの綴じ処理手段の綴じ形態に応じた製本化に対応するように前記画像形成配置処理の内容を変更することを特徴とする画像形成システム。
　【請求項２】  前記画像形成装置は、前記転写材をその出力順に束状に積載し、該転写材の束をその中央部で２つ折りにした後に該中央部を綴じる第１の綴じ処理装置と、前記転写材をその中央部で２つ折りにした後に順に束状に積載し、該２つ折りにされた転写材の束の端部を綴じる第２の綴じ処理装置との２つの綴じ処理装置に対して共通の装着構造を有することを特徴とする請求項１記載の画像形成システム。」
　
（１ｂ）「【０００１】【発明の属する技術分野】本発明は、複数ページ分の画像を１枚の転写材上に配置して形成し、複数ページ分の画像が形成された複数枚の転写材を綴じて製本化する機能を有する画像形成システム、画像形成装置および製本印刷方法に関する。」
　
（１ｃ）「【０００６】【発明が解決しようとする課題】近年、プリンタに対する機能拡張が益々進められ、プリンタに装着可能な綴じ処理装置としても１種類に限定されることなく、例えば、上述した、プリンタから出力された用紙をその中央部で２つ折りにした後にその出力順に束状に積載し、この用紙束の片端部をステイプル処理により綴じる綴じ処理装置、プリンタから出力された用紙をその出力順に束状に積載し、この用紙束の中央部をステイプル処理により綴じた後に用紙束をその中央部で２つ折りにする綴じ処理のいずれでも装着可能なように構成し、綴じ処理装置を選択して装着することにより異なる製本化が可能な画像形成システムの出現が望まれている。
【０００７】本発明の目的は、装着された綴じ処理装置の綴じ形態に応じた製本化を行うことができる画像形成システム、画像形成装置および製本印刷方法を提供することにある。」
　
（１ｄ）「【００２１】（実施の第１形態）図１は本発明の画像形成システムの構成を示すブロック図である。
【００２２】
画像形成装置１００は
プリンタ部２と
画像入出力制御部３とを備える
プリンタ部２には排紙部５が装着され
【００２３】フォーマッタ部４は、ホストコンピュータ７と接続され、ホストコンピュータ７から転送されたページ記述言語記述の印字データ（ＰＤＬデータ）をプリンタ部２で印刷可能な画像データに展開し、この画像データを画像入出力制御部３に転送する。また、フォーマッタ部４は、画像形成装置１００の仕様に関する情報、動作状況などに関する情報をホストコンピュータ７に転送する。
【００２４】操作部６は、画像入出力制御３の指示に従いユーザが各種設定を行うための操作画面を表示し、ユーザが設定した内容を画像入出力制御部３に転送するなどの処理を行う。」
　
　図１は、次のとおり。
（１ｅ）「【００７４】次に、
画像入出力制御部３におけるプリントジョブ実行時の処理の手順
図１３
【００７５】画像入出力制御部３においては、図１３に示すように、まずステップS１３０１において、実行すべきプリントジョブがあるか否かを判定し、
プリントジョブがあるときには、ステップＳ１３０２に進み、プリントジョブ管理テーブル（図７に示す）を参照して製本印刷が指定されているか否かを判定
製本印刷が指定されているときには、ステップＳ１３０３に進み、この指定された製本印刷を行うための製本印刷モードを判別して決定する製本印刷モード判別処理を行う
【００７６】次いで、ステップＳ１３０４に進み、上記製本印刷モード判別処理の結果に基づき製本印刷が可能であるか否かを判定する。
製本印刷が可能であれば、ステップＳ１３０５に進み、決定された製本印刷モードに従い製本印刷出力処理を行う
　図１３は、次のとおり。
　（１ｆ）「【００７７】次に、
上記ステップＳ１３０３の製本印刷モード判別処理
【００７８】製本印刷モード判別処理では、
図１４
【００７９】これに対し、画像メモリ３０７の容量が十分にありスプール動作が可能であるときには、
ステップＳ１４０２に進み、現在装着されている排紙部５がどのようなタイプのフィニッシャーであるかを判別する
排紙部５として、サドルステッチャを搭載したフィニッシャー
２つ折りユニットとステイプラユニットとを備えたフィニッシャー
前者のフィニッシャーを装着しているときには製本印刷モード１を行うと判定
後者のフィニッシャーを装着しているときには製本印刷モード２を行うと判定
製本印刷モード２を設定する
【００８０】この
製本印刷モード１では
プリンタ部２側で両面印刷により１枚の記録紙の両面にそれぞれ２ページ分の画像を形成し、排紙部５でプリンタ部２から出力された記録紙をその出力順に束状に積載し、この記録紙束の中央部をステイプル処理により綴じた後に用紙束をその中央部で２つ折りにすることにより製本化
画像入出力制御部３においては
画像メモリ３０７から画像データの読出し順を変更して対応する２ページ分の画像データをまず読み出し
この読み出した２ページ分の画像データをレイアウトして記録紙の一方の面に対する画像データを生成し
この画像データをプリンタ部２に転送する
次いで、画像入力出力制御部３で、画像メモリ３０７から、再給紙した記録紙の他面に対する２ページ分の画像データを読み出し、この読み出した２ページ分の画像データがレイアウトして再給紙した記録紙の他方の面に対する画像データを生成し、この画像データをプリンタ部２に転送する
製本印刷モード１による製本例を図１９および図２１に示す
【００８１】製本印刷モード２では、プリンタ部２側で片面印刷機能により、１枚の記録紙の片面に２ページ分の画像を形成し、排紙部５側でプリンタ部２から出力された記録紙をその中央部で２つ折りにした後にその出力順に束状に積載し、この記録紙束の片端部をステイプル処理により綴じることにより製本化する。・・・（中略）・・・
【００８２】上記製本印刷モードが設定され、または製本印刷をしないと設定されると、ステップＳ１４０６に進み、プリントジョブ管理テーブルのPamphlet mode、Duplex Modeの各パラメータを更新し、本処理を終了する。なお、製本印刷モードを指示するパラメータPamphlet modeは、フォーマッタ部４からジョブ開始要求命令で指定される際には、ユーザ（プリンタドライバ）からは製本印刷する／しないという設定しか行うことができないから、OFF／ONという値しかセットされないが、本処理においては、製本印刷を実現するための具体的な手段を用いた製本印刷モード（モードＭ１／モードＭ２）がプリントジョブ管理テーブルにセットされる。」
　
　図１４、図１９、図２１は、次のとおり。
（１ｇ）「【００８３】次に、
図１３に示すステップＳ１３０５の製本印刷出力処理
【００８４】製本印刷出力処理では、
図１５
【００８５】ジョブ開始命令が受理されると、ステップＳ１５０３に進み、白紙画像追加処理を行う。ここで、この白紙追加処理とは、製本印刷時に製本印刷モードに応じて１枚の記録紙に２ページ分の画像または４ページ分の画像をレイアウトするために、レイアウト後の全ページ数が２の倍数または４の倍数になるように、不足分の白紙画像を追加する処理である。追加ページは、ページキューの最後尾に追加される。
【００８６】次いで、ステップＳ１５０４に進み、出力ページ数を表す変数Ｐに１をセットし、出力画像作成処理用変数ｐに１を、出力画像作成処理用変数ｑに入力ページ総数Ｎをそれぞれセットし、続く
ステップＳ１５０５で出力ページ作成処理を行い
　
　図１５は、次のとおり。
　
（１ｈ）「【００９２】次に、
図１５に示すステップS１５０５の出力ページ作成処理
図１７
【００９３】
出力ページ作成処理では、設定された製本印刷モードに応じて、ページの並び順やレイアウト位置を変えて１枚の記録紙の１面に対する画像データを生成する
【００９４】出力ページ作成処理においては、図１７に示すように、まずステップS１７０１において、設定された製本印刷モードが製本印刷モード１（モードM１）であるか製本印刷モード２（モードM２）であるかの判別を行う。
製本印刷モード１（モードM１）が設定されているときには、ステップＳ１７０２に進み
出力ページ番号を表す変数Ｐが奇数であるか否かを判定する
この変数Ｐが奇数であるときには
記録紙上の右側領域に
画像データ
左側領域に
画像データ
配置する
レイアウトを設定し
設定したレイアウトに基づき
対応する２ページ分の画像データを読み出し
画像処理部２０６において読み出した各ページの画像データを縮小、配置して１ページ分の画像データを生成する２ｉｎ１処理を行い
【００９５】これに対し、変数Ｐが奇数でなければすなわち
変数Ｐが偶数であれば
記録紙上の右側領域に
画像データ
の左側領域に
ページ画像データ
配置
レイアウトを設定し
設定したレイアウトに基づき
対応する２ページ分の画像データを読み出し
画像処理部２０６において読み出した各ページの画像データを縮小、配置して１ページ分の画像データを生成する２ｉｎ１処理を行い
　
　図１７は、次のとおり。
　
　これらの事項によれば、刊行物１には、次の発明（以下、「刊行物１記載の発明」という。）が記載されているものと認められる。
　
　「プリンタ部２に排紙部５が装着された画像形成装置における画像入出力制御部３であって、
　プリントジョブで製本印刷が指定されているときに、その指定された製本印刷を行うための製本印刷モードを判別して決定する製本印刷モード判別処理Ｓ１３０３を行い、決定された製本印刷モードに従い製本印刷出力処理Ｓ１３０５を行い、生成された画像データをプリンタ部２に転送するもので、　上記製本印刷モード判別処理Ｓ１３０３は、現在装着されている排紙部５がどのようなタイプのフィニッシャーであるか判別し、サドルステッチャを搭載したフィニッシャーを装着しているときには下記に定義する「製本印刷モード１」を行うと判定し、また、２つ折りユニットとステイプラユニットとを備えたフィニッシャーを装着しているときには「製本印刷モード２」を行うと判定して、製本印刷モードを設定し、
　上記製本印刷出力処理Ｓ１３０５は、設定された製本印刷モードに応じて、ページの並び順やレイアウト位置を変えて１枚の記録紙の１面に対する画像データを生成する出力ページ作成処理を行うものであり、「製本印刷モード１」が設定されているときには、出力ページ番号が偶数か奇数かに分けて、記録紙上の右側領域及び左側領域に配置する画像データを決めてレイアウトを設定し、設定したレイアウトに基づき、対応する２ページ分の画像データを読み出し、画像処理部２０６において読み出した各ページの画像データを縮小、配置して１ページ分の画像データを生成する２ｉｎ１処理を行う、
　画像形成装置の画像入出力制御部３。
　ここで、上記「製本印刷モード１」は、プリンタ部２側で両面印刷により１枚の記録紙の両面にそれぞれ２ページ分の画像を形成し、排紙部５でプリンタ部２から出力された記録紙をその出力順に束状に積載し、この記録紙束の中央部をステイプル処理により綴じた後に用紙束をその中央部で２つ折りにすることにより製本化するものである。」
　
３．対比・判断
そこで、本願補正発明と刊行物１記載の発明とを対比する。
　
　まず、本願補正発明は、プリンタ本体とそれに接続されたホストコンピュータとからなる印刷システムに限定されないから、本願補正発明の「印刷制御装置」は、「印刷装置」とともに、プリンタ本体に備わっていてもよいものである。
　そうすると、刊行物１記載の発明の「画像形成装置」における「プリンタ部２」は、本願補正発明の「印刷装置」に相当し、
　刊行物１記載の発明の「フィニッシャー」を備えている「排紙部５」は、本願補正発明の「フィニッシャ装置」に実質的に相当し、
　また、刊行物１記載の発明では、「製本印刷モード１」及び「製本印刷モード２」が２つ折り処理を伴い、画像入出力制御部３は、生成された画像データをプリンタ部２に転送するから、
　刊行物１記載の発明の「画像形成装置における画像入出力制御部３」は、本願補正発明の「印刷装置で印刷された印刷用紙をフィニッシャ装置で折り処理が実行されるように、前記印刷装置で印刷すべき印刷データを生成する印刷制御装置」に相当するということができる。
　刊行物１記載の発明の画像入出力制御部３で生成された「画像データ」は、本願補正発明の印刷制御装置で生成された「印刷装置で印刷すべき印刷データ」に相当している。
　
　刊行物１記載の発明の「記録紙」は、本願補正発明の「印刷用紙」に相当する。
　刊行物１記載の発明の「製本印刷モード１」は、「プリンタ部２側で両面印刷により１枚の記録紙の両面にそれぞれ２ページ分の画像を形成し、排紙部５でプリンタ部２から出力された記録紙をその出力順に束状に積載し、この記録紙束の中央部をステイプル処理により綴じた後に用紙束をその中央部で２つ折りにすることにより製本化するもの」であるから、本願補正発明の「印刷された印刷物を二つ折りした冊子」を得る製本手法に相当する。また、本願補正発明は、紙順設定が必要となるもの、つまり、複数の印刷用紙からなる冊子であり、この点でも、刊行物１記載の発明の「製本印刷モード１」は、記録紙をその出力順に束状に積載したものであるから、本願補正発明と一致する。
　
　さらに、刊行物１記載の発明は、「上記製本印刷出力処理Ｓ１３０５は、設定された製本印刷モードに応じて、ページの並び順やレイアウト位置を変えて１枚の記録紙の１面に対する画像データを生成する出力ページ作成処理を行うものであり、「製本印刷モード１」が設定されているときには、出力ページ番号が偶数か奇数かに分けて、記録紙上の右側領域及び左側領域に配置する画像データを決めてレイアウトを設定し、設定したレイアウトに基づき、対応する２ページ分の画像データを読み出し、画像処理部２０６において読み出した各ページの画像データを縮小、配置して１ページ分の画像データを生成する２ｉｎ１処理を行う」ものであり、この「製本印刷モード１」による冊子が、本願補正発明と同様に、印刷された印刷物を二つ折りした冊子であり、しかも、その冊子は複数の印刷用紙からなるものであるから、
　刊行物１記載の発明には、明示がないものの、
　本願補正発明の「前記設定情報取得手段により取得される製本印刷の設定情報に含まれる紙順設定情報に従って、前記印刷装置で印刷された印刷物を二つ折りした冊子の外側の紙から印刷されるか内側の紙から印刷されるかを特定し、更に、前記製本印刷の設定情報に含まれる面順設定情報に従って、該冊子の紙の内側の面から印刷されるか外側の面から印刷されるかを特定し、印刷データのページレイアウトを決定するページレイアウト決定手段」のうち、「紙順設定情報に従って、前記印刷装置で印刷された印刷物を二つ折りした冊子の外側の紙から印刷されるか内側の紙から印刷されるかを特定し、更に、面順設定情報に従って、該冊子の紙の内側の面から印刷されるか外側の面から印刷されるかを特定し、印刷データのページレイアウトを決定する」ことは、刊行物１記載の発明でも、当然に行っているものということができる。何故なら、刊行物１記載の発明でも、本願補正発明で規定するような「紙順設定情報」や「面順設定情報」がないと、印刷データのページレイアウトを行うことができないからである。また、刊行物１記載の発明では、「ページレイアウト決定手段」といえる手段も想定される。
　
　刊行物１記載の発明の「設定したレイアウトに基づき、対応する２ページ分の画像データを読み出し、画像処理部２０６において読み出した各ページの画像データを縮小、配置して１ページ分の画像データを生成する２ｉｎ１処理を行う」との記載から、刊行物１記載の発明でも、本願補正発明の「前記ページレイアウト決定手段により決定されたページレイアウトに従って、印刷データを生成する生成手段」を有しているということができる。
　
　そうすると、本願補正発明と刊行物１記載の発明の一致点、相違点は以下のとおりと認められる。
　
［一致点］
　「印刷装置で印刷された印刷用紙をフィニッシャ装置で折り処理が実行されるように、前記印刷装置で印刷すべき印刷データを生成する印刷制御装置であって、
　紙順設定情報に従って、前記印刷装置で印刷された印刷物を二つ折りした冊子の外側の紙から印刷されるか内側の紙から印刷されるかを特定し、更に、面順設定情報に従って、該冊子の紙の内側の面から印刷されるか外側の面から印刷されるかを特定し、印刷データのページレイアウトを決定するページレイアウト決定手段と、
　前記ページレイアウト決定手段により決定されたページレイアウトに従って、印刷データを生成する生成手段とを有し、
　前記面順設定情報は、先に印刷する印刷面が前記折り処理により印刷用紙の内側と外側のいずれに対応するかを指定する情報であり、
　前記紙順設定情報は、先に印刷する印刷用紙が前記折り処理により冊子の外側と内側のいずれに対応するかを指定する情報である、
　印刷制御装置。」
　
［相違点１］
　本願補正発明では、印刷装置の属性とフィニッシャ装置の属性に従って分類される、面順設定情報と紙順設定情報とを含む製本印刷の設定情報を取得する設定情報取得手段を有するのに対し、
　刊行物１記載の発明では、そのような製本印刷の設定情報を取得する設定情報取得手段が明示されていない点。
　
［相違点２］
　本願補正発明では、「印刷された印刷物を二つ折りした冊子」を得るもの（刊行物１の「製本印刷モード１」によるもの）であり、それ以外の製本手法によるものは明示がないのに対し、
　刊行物１記載の発明では、製本印刷モード判別処理Ｓ１３０３で、現在装着されている排紙部５がどのようなタイプのフィニッシャーであるか判別し、サドルステッチャを搭載したフィニッシャーを装着しているときには「製本印刷モード１」を行うと判定し、また、２つ折りユニットとステイプラユニットとを備えたフィニッシャーを装着しているときには「製本印刷モード２」を行うと判定して、それぞれ製本印刷モードを設定する点。
　
　そこで、相違点について検討する。
　
（相違点１について）
　刊行物１記載の発明では、面順設定情報と紙順設定情報とを含む製本印刷の設定情報を取得する設定情報取得手段について明示はないが、
　上記したとおり、「紙順設定情報に従って、前記印刷装置で印刷された印刷物を二つ折りした冊子の外側の紙から印刷されるか内側の紙から印刷されるかを特定し、更に、面順設定情報に従って、該冊子の紙の内側の面から印刷されるか外側の面から印刷されるかを特定し、印刷データのページレイアウトを決定する」ことを、刊行物１記載の発明でも、当然に行っているから、
　刊行物１記載の発明の「画像形成装置の画像入出力制御部３」は、「製本印刷モード１」に関する「印刷装置の属性とフィニッシャ装置の属性に従って分類される、面順設定情報と紙順設定情報とを含む製本印刷の設定情報」を何らかの形で入手しているはずである。
　例えば、刊行物１の【図１９】【図２１】に記載される「製本印刷モード１」による製本例は、紙順設定が、二つ折りした冊子の外側の紙から印刷する設定であり、面順設定が、冊子の紙の外側の面から印刷する設定であり、これは、本願の【図１０】の分類でいえば、Ｔｙｐｅ１（タイプ１）であることが理解される。刊行物１では、製本印刷の設定情報は、画一的に定められており（タイプ１だけであり）、他の選択肢はない（タイプ２〜４は想定していない）かもしれないが、そうであったとしても、実質的にタイプ１に対応する設定情報を何らかの形で得ているはずである。何故なら、刊行物１記載の発明では、タイプ１の設定情報（適切な紙順及び面順の情報）を得ることなしに、適切に製本印刷を実行することができないのである。
　したがって、刊行物１記載の発明でも、「製本印刷モード１」に関する「印刷装置の属性とフィニッシャ装置の属性に従って分類される、面順設定情報と紙順設定情報とを含む製本印刷の設定情報」が何らかの形で「画像形成装置の画像入出力制御部３」に対して提供されているものである。
　そうすると、刊行物１記載の発明では「製本印刷の設定情報を取得する設定情報取得手段」が明記されていないものの、両発明は、印刷制御装置が製本印刷の設定情報を取得する点では共通するから、刊行物１記載の発明において、印刷制御装置が製本印刷の設定情報を取得する点を、本願補正発明のごとく、「製本印刷の設定情報を取得する設定情報取得手段」を有しているとして表現する程度のことは、当業者が容易になし得ることである。
　
　なお、本願の課題は、製本印刷が可能な出力装置の属性（プリンタのタイプ、使用される排紙口、フィニッシャーのタイプ）に応じて最適な製本印刷の面付け処理を行える印刷制御装置を提供すること（本願明細書【０００６】等）であり、その課題に対応する発明特定事項として、本願補正発明は、上記「印刷装置の属性とフィニッシャ装置の属性に従って分類される、面順設定情報と紙順設定情報とを含む製本印刷の設定情報を取得する設定情報取得手段を有する」と規定したと考えられる。
　しかし、本願補正発明の当該規定は、本願の課題を解決することができる可能性を示すものであるとしても、刊行物１記載の発明との違いを明確にするには至っていない。
　本願明細書の実施例をみても、印刷装置の属性とフィニッシャ装置の属性に従って分類される、面順設定情報と紙順設定情報を含む製本印刷の設定情報が、スプールファイル３０３に格納されており、ファイルマネージャ３０３のＣＰＵ１が、スプールファイル３０３から製本印刷の設定情報を取得することが記載されているに過ぎない（本願明細書【００３７】【００５１】）から、本願補正発明の当該規定を、それ以上の意味（例えば、印刷制御装置それ自体が、多様な出力装置の属性に対応可能になるように、
特別な構成
　
（相違点２について）
　両発明は、「印刷された印刷物を二つ折りした冊子」を得るもの（刊行物１の「製本印刷モード１」によるもの）の点では共通しており、
　また、本願補正発明は、製本印刷モード１か製本印刷モード２かを判定する工程（又は手段）を規定していないが、特に限定がないだけであり、本願補正発明が、発明の範囲として、そのような判定工程（又は手段）を有する態様を含むことを排除していない。すなわち、本願補正発明は、そのような判定工程（又は手段）を付随してもよいし、付随しなくてもよいものと解釈される。
　技術的にみても、そのような判定工程（又は手段）があるか否かが、製本印刷モード１の製本印刷の制御に対して影響を与えるものではない。
　したがって、相違点２は、実質的に相違点ではない。
　
（まとめ）
　以上のとおりであるから、本願補正発明は、刊行物１記載の発明に基づいて当業者が容易に発明をすることができたものであり、特許法第２９条第２項の規定により、特許出願の際独立して特許を受けることができない。
　
４．むすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　
第３　本願発明について
1．本願の請求項１に係る発明
　平成１８年１０月１９日付けの手続補正は、上記のとおり却下されたので、本願の請求項１〜１０に係る発明は、平成１７年１２月２７日付けの手続補正書により補正された請求項１〜１０に記載された事項により特定されるとおりのものと認められるところ、その請求項１に係る発明（以下、「本願発明１」という。）は次のとおりである。
　
　「【請求項１】印刷装置で印刷された印刷用紙をフィニッシャ装置で折り処理が実行されるように、前記印刷装置で印刷すべき印刷データを生成する印刷制御装置であって、
　前記印刷装置の属性と前記フィニッシャ装置の属性に従って、面順設定情報と紙順設定情報とを含む製本印刷の設定情報を取得する設定情報取得手段と、
　前記設定情報取得手段により取得される設定情報に基づき、前記印刷装置で印刷されるべき印刷面の順序を特定し、印刷データのページレイアウトを決定するページレイアウト決定手段と、
　前記ページレイアウト決定手段により決定されたページレイアウトに従って、印刷データを生成する生成手段とを有し、
　前記面順設定情報は、先に印刷する印刷面が前記折り処理により印刷用紙の内側と外側の何れに対応するかを指定する情報であり、
　前記紙順設定情報は、先に印刷する印刷用紙が前記折り処理により冊子の外側と内側の何れに対応するかを指定する情報であることを特徴とする印刷制御装置。」
　
２．引用刊行物の記載事項
　原査定の拒絶の理由に引用された刊行物、及びその記載事項は、上記「第２　２．」で刊行物１として記載したとおりである。
　
３．対比・判断
　本願発明１は、上記「第２」で検討した本願補正発明から、「ページレイアウト決定手段」に係る限定を省いて、「前記設定情報取得手段により取得される設定情報に基づき、前記印刷装置で印刷されるべき印刷面の順序を特定し、印刷データのページレイアウトを決定するページレイアウト決定手段」とし、また、「設定情報取得手段」に係る限定を省いて、「前記印刷装置の属性と前記フィニッシャ装置の属性に従って、面順設定情報と紙順設定情報とを含む製本印刷の設定情報を取得する設定情報取得手段」としたものである。
　そうすると、本願発明１の構成要件を全て含み、更に他の構成要件を付加したものに相当する本願補正発明が上記「第２　３．」に記載したとおり、刊行物１記載の発明に基づいて当業者が容易に発明をすることができたものであるから、本願発明１も、同様の理由により、刊行物１記載の発明に基づいて当業者が容易に発明をすることができたものである。
　
４．むすび
　以上のとおりであるから、本願の請求項１に係る発明は、特許法第２９条第２項の規定により特許を受けることができないので、他の請求項について検討するまでもなく、本願は拒絶すべきものである。
　よって、結論のとおり審決する。